(57)【要約】【課題】  従来の技術としては、合成樹脂を内心部まで加圧注入するもので、現状のバットで後付けにて使用できるものではない。また、バットにシャフト部を設けたもので、これもオリジナルバットであり、本発明のような後付けにて使用できるものではない。さらに、打球部外周に合成樹脂シートを被覆しているものであり、折れや破損はテーパー部やグリップ部に発生することが多く、実用上問題があり、かつ、打球部を改造することは試合には使用できないものである。【解決手段】  バットのグリップ部とテーパー部にかけて、バットが折れたり破損した時、飛散を防止するためのもので、伸縮自在なメッシュ状に形成してなることを特徴とする。【選択図】図１
2019048024.tif 000002
【特許請求の範囲】
【請求項１】
バットのグリップ部とテーパー部にかけて、バットが折れたり破損した時、飛散を防止するためのもので、伸縮自在なメッシュ状に形成してなることを特徴とするバット用保護具。
【請求項２】
バット用保護具が円筒状で、バット部のグリップ部とテーパー部を覆うように差し込み、接着剤で固定することを特徴とするバット用保護具の取付方法。
【請求項３】
バットのグリップ部とテーパー部にかけて、バットが折れたり破損した時、飛散を防止するためのもので、円筒状の熱収縮性チューブであることを特徴とするバット用保護具。
【請求項４】
予めバットのグリップ部とテーパー部に接着剤を塗布し、覆うように円筒状の熱収縮チューブを差し込み、ドライヤーで熱加工することを特徴とするバット用保護具の取付方法。
【請求項５】
予めバットのグリップ部とテーパー部に接着剤を塗布し、そこに塗膜を形成してなることを特徴とするバット用保護具の取付方法。
【請求項６】
バット用保護具が予め取り付けてあることを特徴とするバット。
【発明の詳細な説明】
【技術分野】
【０００１】  本発明は、特に木製バットの試合中における折れや破損の飛散を防止するバット用保護具及びその取付方法並びにバットに関するものである。
【背景技術】
【０００２】  従来の技術としては、通常の打球部、テーパー部、グリップ部、グリップエンドを備える木製バットから成り、前記木製バットの打球部を除く、テーパー部からグリップエンドまでの長手方向に、合成樹脂を内心部まで加圧注入・硬化することを特徴とする強化木製バットがある。（特許文献１参照）【０００３】  また、別の従来技術として、周縁形状が形成された打球部と、周縁形状が円形に形成され、打者が握持するためのグリップ部と、該グリップ部の下端部に配設されるグリップエンドと、前記打球部及び前記グリップ部の間に設けられ、周縁形状が円形で、前記打球部から前記グリップ部にかけてテーパー形状に形成されたシャフト部とを有する木製バットにおいて、前記打球部から前記グリップエンドまでの内部を貫通する貫通孔が穿設され、該貫通孔内に、前記打球部、前記シャフト部、及び前記グリップ部の少なくともいずれかが折れた際に互いに分離するのを防止する分離防止機構を具備することを特徴とする木製バットがある。（特許文献２参照）【０００４】  さらに、別の従来技術としては、木製バットの打球部外周を合成樹脂シート又はフィルムで被覆してなることを特徴とする木製バットの製造方法がある。（特許文献３参照）
【先行技術文献】
【特許文献】
【０００５】
【特許文献１】特開２００８−２３７８５７号公報
【特許文献２】特開２００３−１４４５９３号公報
【特許文献３】特開２００３−２４５３８７号公報
【発明の概要】
【発明が解決しようとする課題】
【０００６】  上記前者のものは、合成樹脂を内心部まで加圧注入するもので、現状のバットで後付けにて使用できるものではない。【０００７】  上記中者のものも、バットにシャフト部を設けたものであり、これもオリジナルバットであり、本発明のような後付けにて使用できるものではない。【０００８】  上記後者のものは、打球部外周に合成樹脂シートを被覆しているものであり、折れや破損はテーパー部やグリップ部に発生することが多く、実用上問題があり、かつ、打球部を改造することは試合には使用できない。【０００９】  本発明は、このような従来の構成が有していた問題を解決しようとするもので、一般に販売されている木製バットに後付けにてバット用保護具をテーパー部とグリップ部に取り付けることにより折れ等により破損箇所が飛んで、周囲の方に怪我させることのないバット用保護具並びにバットを提供することを目的とする。
【課題を解決するための手段】
【００１０】  本発明は、上記目的を達成するために、バットのグリップ部とテーパー部にかけて、バットが折れたり破損した時、飛散を防止するためのもので、伸縮自在なメッシュ状に形成してなること。バット用保護具が円筒状で、バット部のグリップ部とテーパー部を覆うように差し込み、接着剤で固定すること。バットのグリップ部とテーパー部にかけて、バットが折れたり破損した時、飛散を防止するためのもので、円筒状の熱収縮性チューブであること。予めバットのグリップ部とテーパー部に接着剤を塗布し、覆うように円筒状の熱収縮チューブを差し込み、ドライヤーで熱加工すること、及びバット用保護具が予め取り付けてあるバットを特徴とする。
【発明の効果】
【００１１】１）、伸縮自在なメッシュ状のバット用保護具により、一般に市販されている特に木製バットのテーパー部とグリップ部に後付けにて接着して取り付けることにより、バットが折れても破損箇所が飛んで周囲の人を傷付けることはない。
２）、バット用保護具をメッシュ状にすることにより、グリップ部の滑り止め効果もある。
３）、バット用保護具を熱収縮性チューブで熱加工することにより、より密着性を向上させてなる。
４）、予めバット用保護具を取り付けてあるバットにより、その日からすぐに使用できる。
【図面の簡単な説明】
【００１２】
【図１】  本発明の第１実施例を示すバット用保護具の可動図。
【図２】  本発明の第１実施例を示すバット用保護具の取付状態図。
【図３】  本発明の第２実施例を示すバット用保護具の取付状態図。
【発明を実施するための形態】
【００１３】  バット用保護具１は、バットＢのグリップ部Ｇとテーパー部Ｔにかけて、バットＢが折れたり破損した時、飛散を防止するもので、伸縮自在な合成樹脂あるいはカーボン繊維等により円筒状に加工されたメッシュ状のもので、前後（上下）に伸縮するものである。（図１・図２）
【００１４】  このバット用保護具１をバットＢに取り付ける方法を説明する。
まず、手元にあるバットＢのテーパー部Ｔとグリップ部Ｇに接着剤Ｓを吹き付け、グリップ部Ｇから差し込み、伸縮させながら貼り付ける。
なお、必要に応じて、その上方より再度接着剤Ｓを吹き付けるものである。（図２）
【００１５】  バット用保護具２１は、合成樹脂等による円筒状に形成した熱収縮性チューブで、予めバットＢ１のテーパー部Ｔとグリップ部Ｇに接着剤を塗布し、その後バット用保護具２１をグリップ部Ｇより差し込み、ドライヤーＤ等で、熱を吹き付け密着させて取り付けるものである。
【００１６】  上記各実施例において、バット保護具１のメッシュのピッチや外径等は必要に応じて決めればよい。
また、バット保護具２１においても厚みや大きさ等、バットの大きさ等により決めればよい。
さらに、塗膜としてディッピング加工やＦＲＰ加工も考えられる。
さらにまた、予めバット用保護具を取り付けてあるバットを商品化することも一考である。
【符号の説明】
【００１７】１―――バット用保護具
Ｂ―――バット
Ｔ―――テーパー部
Ｇ―――グリップ部
Ｓ―――接着剤
【図１】
2019048024.tif 000003
【図２】
2019048024.tif 000004
【図３】
2019048024.tif 000005